(57)【要約】  表示部に表示されている文字等を用いて容易にアプリケーションを起動することが可能な電子機器及びその制御方法を提供すること。  起動部１７１は、入力された文字を用いて各種の機能を実行するアプリケーションを起動する。アプリケーション制御部１７２は、表示部１１に文字が表示されている状態において、この文字のうち少なくともいずれかの文字が表示されている領域に対する接触が検出部１２により検出されることにより文字が選択された場合に、アプリケーションが対応付けられるアプリケーション起動用表示を表示部１１に表示させる。
2012008425.tif 000002
【特許請求の範囲】
【請求項１】
表示部と、
前記表示部に対する接触を検出する検出部と、
アプリケーションを起動する起動部と、
前記表示部に文字が表示されている状態において、当該文字が表示されている領域に対する接触が前記検出部により検出されることにより文字が選択された場合に、アプリケーションが対応付けられるアプリケーション起動用表示を前記表示部に表示させる制御部とを有する電子機器。
【請求項２】
前記制御部は、前記表示部に前記アプリケーション起動用表示が表示されている状態において、当該アプリケーション起動用表示が選択されると、選択されたアプリケーション起動用表示に対応付けられたアプリケーションを前記起動部により起動させて、選択されている文字を前記アプリケーションの文字入力領域に入力させる請求項１に記載の電子機器。
【請求項３】
前記制御部は、複数のアプリケーションそれぞれが対応付けられる複数のアプリケーション起動用表示を前記表示部に表示させ、当該複数のアプリケーション起動用表示のうち選択されたアプリケーション起動用表示に対応付けられたアプリケーションを前記起動部により起動させる請求項２に記載の電子機器。
【請求項４】
前記制御部は、前記表示部に画像が表示されている状態において、当該画像が表示されている領域に対する接触が前記検出部により検出されることにより画像が選択された場合に、アプリケーションが対応付けられたアプリケーション起動用表示を前記表示部に表示させる請求項１に記載の電子機器。
【請求項５】
前記制御部は、前記表示部に前記アプリケーション起動用表示が表示されている状態において、当該アプリケーション起動用表示が選択されると、選択されたアプリケーション起動用表示に対応付けられたアプリケーションを前記起動部により起動させて、選択されている画像を前記アプリケーションの画像挿入領域に挿入させる請求項４に記載の電子機器。
【請求項６】
前記制御部は、前記検出部により所定時間以上継続して前記文字又は前記画像が表示されている領域に対する接触が検出された場合に、前記アプリケーション起動用表示を前記表示部に表示させる請求項４に記載の電子機器。
【請求項７】
前記制御部は、選択されている前記文字又は前記画像により異なるアプリケーション起動用表示を前記表示部に表示させる請求項４に記載の電子機器。
【請求項８】
前記制御部は、前記表示部に文字が表示されている状態において、当該文字が表示されている領域に対する接触が前記検出部により検出されることにより文字が選択された場合に、前記アプリケーション起動用表示としてアプリケーションが対応付けられたアイコンを前記表示部に表示させ、当該アイコンが表示されている領域に対する接触が前記検出部により検出された場合に、接触が検出されたアイコンに対応付けられたアプリケーションを前記起動部により起動させて、選択されている文字を前記アプリケーションの文字入力領域に入力させる請求項１に記載の電子機器。
【請求項９】
前記制御部は、前記表示部に画像が表示されている状態において、当該画像が表示されている領域に対する接触が前記検出部により検出されることにより画像が選択された場合に、接触が検出されたアイコンに対応付けられたアプリケーションを前記起動部により起動させて、選択されている文字を前記アプリケーションの画像挿入領域に挿入させる請求項８に記載の電子機器。
【請求項１０】
前記制御部は、前記検出部による前記アイコンが表示されている領域に対する接触の検出が確定されると、当該接触が検出されたアイコンに対応付けられたアプリケーションを起動させる請求項９に記載の電子機器。
【請求項１１】
前記表示部への接触により手書き文字を入力させる手書き文字入力部を更に有し、
前記表示部に表示されている文字は、前記手書き文字入力部により入力された文字である請求項１に記載の電子機器。
【請求項１２】
前記表示部への接触により前記表示部に前記手書き文字を入力させる領域を指定する領域指定部を更に有し、
前記手書き文字入力部は、前記領域指定部により指定された領域内に手書き文字を入力させる請求項１１に記載の電子機器。
【請求項１３】
前記制御部は、起動された前記アプリケーションが終了した場合に、前記検出部により前記文字が表示されている領域に対する接触が検出される直前に表示されていた文字を前記表示部に表示させる請求項１に記載の電子機器。
【請求項１４】
表示部に文字を表示するステップと、
前記表示部への接触が検出部により検出されることにより文字が選択されるステップと、
前記文字が選択されたことにより、起動部によるアプリケーションの起動に用いられるアプリケーション起動用表示を前記表示部に表示させるステップとを備える電子機器の制御方法。
【発明の詳細な説明】
【技術分野】
【０００１】
本発明は、タッチパネルを備えた電子機器及びその制御方法に関する。
【背景技術】
【０００２】
従来、表示部及び操作部を有する電子機器は、表示部に待ち受け画面が表示されている状態で操作部を操作すると、操作部に割り当てられている文字を入力して、表示部に表示する。そして、電子機器は、文字が入力された状態で、ユーザが所望のアプリケーションを選択すると、選択されたアプリケーションに入力された文字を入力させた状態で起動させていた（例えば、特許文献１参照）。【０００３】
一方、タッチパネルに接触することにより所望のアプリケーションの起動や文字の入力を行う電子機器が提案されている（例えば、特許文献２参照）。
【先行技術文献】
【特許文献】
【０００４】
【特許文献１】特開２００７−２００２４３号公報
【特許文献２】特開平０９−０１８５６６号公報
【発明の概要】
【発明が解決しようとする課題】
【０００５】
しかし、特許文献１及び２に記載の電子機器では、所望のアプリケーションを選択する際に、操作が煩わしい場合があった。【０００６】
本発明は、所望のアプリケーションをより容易に選択することが可能な電子機器及びその制御方法を提供することを目的とする。
【課題を解決するための手段】
【０００７】
本発明に係る電子機器は、上記課題を解決するために、表示部と、前記表示部に対する接触を検出する検出部と、アプリケーションを起動する起動部と、前記表示部に文字が表示されている状態において、当該文字が表示されている領域に対する接触が前記検出部により検出されることにより文字が選択された場合に、アプリケーションが対応付けられるアプリケーション起動用表示を前記表示部に表示させる制御部とを有する。【０００８】
また、前記制御部は、前記表示部に前記アプリケーション起動用表示が表示されている状態において、当該アプリケーション起動用表示が選択されると、選択されたアプリケーション起動用表示に対応付けられたアプリケーションを前記起動部により起動させて、選択されている文字を前記アプリケーションの文字入力領域に入力させることが好ましい。【０００９】
また、前記制御部は、複数のアプリケーションそれぞれが対応付けられる複数のアプリケーション起動用表示を前記表示部に表示させ、当該複数のアプリケーション起動用表示のうち選択されたアプリケーション起動用表示に対応付けられたアプリケーションを前記起動部により起動させることが好ましい。【００１０】
また、前記制御部は、前記表示部に画像が表示されている状態において、当該画像が表示されている領域に対する接触が前記検出部により検出されることにより画像が選択された場合に、アプリケーションが対応付けられたアプリケーション起動用表示を前記表示部に表示させることが好ましい。【００１１】
また、前記制御部は、前記表示部に前記アプリケーション起動用表示が表示されている状態において、当該アプリケーション起動用表示が選択されると、選択されたアプリケーション起動用表示に対応付けられたアプリケーションを前記起動部により起動させて、選択されている画像を前記アプリケーションの画像挿入領域に挿入させることが好ましい。【００１２】
また、前記制御部は、前記検出部により所定時間以上継続して前記文字又は前記画像が表示されている領域に対する接触が検出された場合に、前記アプリケーション起動用表示を前記表示部に表示させることが好ましい。【００１３】
また、前記制御部は、選択されている前記文字又は前記画像により異なるアプリケーション起動用表示を前記表示部に表示させることが好ましい。【００１４】
また、前記制御部は、前記表示部に文字が表示されている状態において、当該文字が表示されている領域に対する接触が前記検出部により検出されることにより文字が選択された場合に、前記アプリケーション起動用表示としてアプリケーションが対応付けられたアイコンを前記表示部に表示させ、当該アイコンが表示されている領域に対する接触が前記検出部により検出された場合に、接触が検出されたアイコンに対応付けられたアプリケーションを前記起動部により起動させて、選択されている文字を前記アプリケーションの文字入力領域に入力させることが好ましい。【００１５】
また、前記制御部は、前記表示部に画像が表示されている状態において、当該画像が表示されている領域に対する接触が前記検出部により検出されることにより画像が選択された場合に、接触が検出されたアイコンに対応付けられたアプリケーションを前記起動部により起動させて、選択されている文字を前記アプリケーションの画像挿入領域に挿入させることが好ましい。【００１６】
また、前記制御部は、前記検出部による前記アイコンが表示されている領域に対する接触の検出が確定されると、当該接触が検出されたアイコンに対応付けられたアプリケーションを起動させることが好ましい。【００１７】
また、前記電子機器は、前記表示部への接触により手書き文字を入力させる手書き文字入力部を更に有し、前記表示部に表示されている文字は、前記手書き文字入力部により入力された文字であることが好ましい。【００１８】
また、前記電子機器は、前記表示部への接触により前記表示部に前記手書き文字を入力させる領域を指定する領域指定部を更に有し、前記手書き文字入力部は、前記領域指定部により指定された領域内に手書き文字を入力させることが好ましい。【００１９】
また、前記制御部は、起動された前記アプリケーションが終了した場合に、前記検出部により前記文字が表示されている領域に対する接触が検出される直前に表示されていた文字を前記表示部に表示させることが好ましい。【００２０】
本発明に係る携帯電子機器の制御方法は、上記課題を解決するために、表示部に文字を表示するステップと、前記表示部への接触が検出部により検出されることにより文字が選択されるステップと、前記文字が選択されたことにより、起動部によるアプリケーションの起動に用いられるアプリケーション起動用表示を前記表示部に表示させるステップとを備える。
【発明の効果】
【００２１】
本発明によれば、所望のアプリケーションをより容易に選択することが可能な電子機器及びその制御方法を提供することを目的とする。
【図面の簡単な説明】
【００２２】
【図１】実施形態に係る携帯電話機の外観斜視図である。
【図２】第１実施形態に係る携帯電話機の機能を示す機能ブロック図である。
【図３】第１実施形態に係る表示部に表示される画面遷移例を示す図である。
【図４】第１実施形態に係る表示部に表示される画面遷移の他の例を示す図である。
【図５】第１実施形態に係る携帯電話機の処理について示すフローチャートである。
【図６】第２実施形態に係る携帯電話機の機能を示す機能ブロック図である。
【図７】第２実施形態に係る表示部に表示される画面遷移例を示す図である。
【図８】タッチペンによるタッチパネルへの接触を検出部により検出する処理を示すフローチャートである。
【図９】アプリケーション制御部による処理を示すフローチャートである。
【図１０】アプリケーション制御部による処理を示すフローチャートである。
【図１１】アプリケーション制御部による処理を示すフローチャートである。
【図１２】アプリケーション制御部による処理を示すフローチャートである。
【図１３】第３実施形態に係る表示部に表示される画面例を示す図である。
【図１４】第３実施形態に係る表示部に表示される画面例を示す図である。
【図１５】第３実施形態に係るアプリケーション制御部による処理を示すフローチャートである。
【発明を実施するための形態】
【００２３】
本発明の実施の形態を説明する。まず、本発明の電子機器の実施形態に係る携帯電話機１の基本構造を図１を参照しながら説明する。図１は、実施形態に係る携帯電話機１の外観斜視図である。
【００２４】
携帯電話機１は、筺体２を有する。筺体２は、正面部に、タッチパネル１０と、マイク１３と、スピーカ１４とを有する。
【００２５】
タッチパネル１０は、表示部１１と、検出部１２とを有する（図２参照）。表示部１１は、液晶表示パネル又は有機ＥＬ（エレクトロルミネッセンス）表示パネル等であり、文字や画像を表示する。検出部１２は、表示部１１に対する携帯電話機１のユーザの指やタッチペン等の物体の接触を検出するセンサである。検出部１２には、例えば、静電容量方式や抵抗膜方式等のセンサが利用可能である。
マイク１３は、携帯電話機１のユーザが通話時に発した音声を入力するために用いられる。
スピーカ１４は、携帯電話機１のユーザの通話相手が発した音声を出力するために用いられる。
【００２６】
＜第１実施形態＞
続いて、図２を参照しながら、本発明の電子機器の第１実施形態に係る携帯電話機１の機能構成を説明する。図２は、携帯電話機１の機能構成を示すブロック図である。
【００２７】
携帯電話機１は、上述した、タッチパネル１０（表示部１１及び検出部１２）と、マイク１３と、スピーカ１４とを有する。また、携帯電話機１は、通信部１５と、記憶部１６と、制御部１７とを備える。
【００２８】
通信部１５は、メインアンテナ（図示省略）とＲＦ回路部（図示省略）とを有し、所定の連絡先に発信したり、通信したりする。通信部１５が通信を行う通信先は、携帯電話機１と電話やメールの送受信を行う外部装置や、携帯電話機１がインターネットの接続を行う外部のｗｅｂサーバ等の外部装置等である。
【００２９】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００３０】
記憶部１６は、例えば、ワーキングメモリを含み、制御部１７による演算処理に利用される。また、記憶部１６は、携帯電話機１の内部で動作するアプリケーションを１又は複数記憶する。なお、記憶部１６は、着脱可能な外部メモリを兼ねていてもよい。
【００３１】
制御部１７は、携帯電話機１の全体を制御しており、表示部１１や通信部１５に対して制御を行う。
【００３２】
第１実施形態に係る携帯電話機１は、表示部１１に表示されている文字や画像等を利用してアプリケーションを起動させる機能を有している。以下、当該機能を実行させるための構成について図２から図４を参照しながら説明する。
【００３３】
図２に示すように、制御部１７は、起動部１７１と、アプリケーション制御部１７２と、を有する。
起動部１７１は、表示された文字を用いて各種の機能を実行するアプリケーションを起動する。アプリケーションとしては、例えば、電子メールアプリケーション、メモ帳アプリケーション、テキスト編集用アプリケーション、ブラウザアプリケーション（例えば、検索するために文字入力が可能なブラウザアプリケーション）等が挙げられる。
【００３４】
アプリケーション制御部１７２は、表示部１１に文字が表示されている状態において、文字のうち少なくともいずれかの文字が表示されている領域に対する接触が検出部１２により検出されることにより文字が選択された場合に、アプリケーションが対応付けられるアプリケーション起動用表示を表示部１１に表示させる。ここで、本実施形態に係る文字とは、平仮名文字、片仮名文字、漢字だけでなく、数字、英字、記号も含む。また、文字とは、一の文字だけでなく、文字列も含む。
【００３５】
具体的には、制御部１７は以下の処理を実行する。
図３は、第１実施形態に係る表示部１１に表示される画面遷移例を示す図である。
なお、第１実施形態に係る制御部１７は、検出部１２により文字が表示されている領域に対する接触が検出されると、接触が検出された位置に表示されている文字を特定し、特定した文字を選択する。そして、選択された文字は、例えば、反転表示されて、選択されていない他の文字と区別して表示される。
【００３６】
図３の画面Ｄ１においては、ブラウザアプリケーションが起動しており、ブラウザアプリケーションによって文字「こんにちは！  下記のサイトは面白いよ。  ｈｔｔｐ：／／ｓｈｏｃｅｒａ．ｃｏ．ｊｐ」が表示部１１に表示されている。
【００３７】
アプリケーション制御部１７２は、画面Ｄ１が表示されている状態において、画面Ｄ１に表示されている文字のうち「ｈｔｔｐ：／／ｓｈｏｃｅｒａ．ｃｏ．ｊｐ」が表示されている領域に対する接触が検出部１２により検出されることにより、文字「ｈｔｔｐ：／／ｓｈｏｃｅｒａ．ｃｏ．ｊｐ」が選択される。なお、表示部１１において選択された文字は、反転表示される。
【００３８】
続いて、アプリケーション制御部１７２は、検出部１２により所定時間以上継続して文字「ｈｔｔｐ：／／ｓｈｏｃｅｒａ．ｃｏ．ｊｐ」が選択され、接触が解除された（ユーザの指が離れた）場合に（画面Ｄ２）、アプリケーションが対応付けられるアプリケーション起動用メニューＭ１を表示部１１に表示させる（画面Ｄ３）。
【００３９】
ここで、画面Ｄ３では、文字編集、インターネット検索、Ｅメール本文、Ｅメール添付、デコレーションメール挿入、Ｃメール本文、地図検索等の機能を実行するための複数のアプリケーション起動用メニューＭ１が表示される。
【００４０】
画面Ｄ３において、アプリケーション制御部１７２は、表示されている複数のアプリケーション起動用メニューＭ１のうちいずれかのアプリケーション起動用メニューが選択されると、選択されたアプリケーション起動用メニューに対応付けられているアプリケーション（例えば、文字編集アプリケーション）が起動部１７１により起動される（画面Ｄ４）。
【００４１】
また、画面Ｄ４に示すように、アプリケーション制御部１７２は、アプリケーション起動用メニューが選択されると、選択されたアプリケーション起動用メニューに対応付けられているアプリケーションを起動部１７１により起動させて、画面Ｄ２において選択された文字「ｈｔｔｐ：／／ｓｈｏｃｅｒａ．ｃｏ．ｊｐ」を起動させたアプリケーションの文字入力領域に入力させる。なお、アプリケーション起動用メニューとアプリケーションとは、それぞれ対応付けられて記憶部１６に記憶されている。また、文字入力領域とは、アプリケーション中の文字が入力可能な領域（例えば、文字編集アプリケーション中の文書作成画面における文字を入力可能な領域等）である。
【００４２】
また、アプリケーション制御部１７２は、起動させたアプリケーションが終了した場合（起動したアプリケーションが実行された状態が終了した場合）には、検出部１２により文字「ｈｔｔｐ：／／ｓｈｏｃｅｒａ．ｃｏ．ｊｐ」が表示されている領域に対する接触が検出される直前に表示されていた文字、すなわち、画面Ｄ１又はＤ２において表示されていた文字「こんにちは！  下記のサイトは面白いよ。  ｈｔｔｐ：／／ｓｈｏｃｅｒａ．ｃｏ．ｊｐ」を含むウェブページをブラウザアプリケーションによって表示部１１に表示させる。
【００４３】
このように第１実施形態によれば、携帯電話機１は、表示部１１に文字が表示されている状態において、この文字のうち少なくともいずれかの文字が表示されている領域に対する接触が検出部１２により検出されることにより文字が選択された場合に、アプリケーションが対応付けられるアプリケーション起動用表示を表示部１１に表示させる。
【００４４】
これにより、携帯電話機１は、表示部１１に表示されている文字が選択された場合に、アプリケーションが対応付けられるアプリケーション起動用メニューＭ１を表示させるため、表示部１１に表示されている文字を利用して簡易にアプリケーションを起動することができる。
【００４５】
また、第１実施形態によれば、携帯電話機１は、検出部１２により所定時間以上継続して文字が選択され、接触が解除された場合に、アプリケーションが対応付けられるアプリケーション起動用メニューＭ１を表示部１１に表示させる。これにより、携帯電話機１は、アプリケーション起動用メニューＭ１を表示させる機能を、文字を選択して実行する他の機能（例えば、ＵＲＬへのリンクや単なるコピー）と区別して実行することができる。
【００４６】
また、第１実施形態によれば、携帯電話機１は、アプリケーション起動用メニューが選択されると、選択されたアプリケーション起動用メニューが対応付けられる文字入力アプリケーションを起動部１７１により起動させて、選択された文字をアプリケーションに入力させる。これにより、携帯電話機１は、起動させたアプリケーションに選択されている文字を入力させるため、起動させたアプリケーションの利便性を向上させることができる。なお、「選択されたアプリケーション起動用メニューが対応付けられるアプリケーションを起動部１７１により起動させて、選択された文字をアプリケーションに入力させる」とは、選択された文字を起動させたアプリケーションに入力させて下書き保存してもよい。また、選択されている文字を起動させたアプリケーションに入力させた上で、当該アプリケーションの画面を表示させてもよい。
【００４７】
また、第１実施形態によれば、携帯電話機１は、起動させたアプリケーションの起動が終了した場合には、検出部１２により文字が表示されている領域に対する接触が検出される直前に表示されていた文字を表示部１１に表示させる。これにより、携帯電話機１は、アプリケーションの起動が終了した後にも接触が検出される直前に表示されていた文字が表示されるため、ユーザの利便性を向上させることができる。
【００４８】
また、第１実施形態によれば、携帯電話機１は、複数のアプリケーションそれぞれが対応付けられる複数のアプリケーション起動用メニューＭ１を表示部１１に表示させ、複数のアプリケーション起動用メニューＭ１のうち選択されたアプリケーション起動用メニューが対応付けられるアプリケーションを起動部１７１により起動させる。
【００４９】
これにより、携帯電話機１は、複数のアプリケーション起動用メニューＭ１から所望のアプリケーションを起動させることができるため、アプリケーションに対するユーザの利便性を更に向上させることができる。
【００５０】
なお、図３の画面Ｄ３では、アプリケーション制御部１７２は、複数のアプリケーション起動用メニューＭ１を表示させているが、一のアプリケーション起動用メニューを表示させ、このアプリケーション起動用メニューが選択された場合に、複数のアプリケーション起動用メニューＭ１を表示させるように制御してもよい。
【００５１】
次に、表示部１１に表示されている画像を利用してアプリケーションを起動させる場合の処理について図４を参照しながら説明する。
図４は、第１実施形態に係る表示部１１に表示される画面遷移例を示す図である。
図４の画面Ｄ１１においては、ブラウザアプリケーションが起動しており、ブラウザアプリケーションによって画像Ｆ１が表示部１１に表示されている。
【００５２】
アプリケーション制御部１７２は、画面Ｄ１１が表示されている状態において、画面Ｄ１１に表示されている画像Ｆ１が表示されている領域に対する接触が検出部１２により検出されることにより、画像Ｆ１が選択される。
【００５３】
続いて、アプリケーション制御部１７２は、検出部１２により所定時間以上継続して画像Ｆ１が選択され、接触が解除された（ユーザの指が離れた）場合に（画面Ｄ１２）、起アプリケーションが対応付けられるアプリケーション起動用メニューＭ２を表示部１１に表示させる（画面Ｄ１３）。
【００５４】
ここで、アプリケーション起動用メニューＭ２では、文字編集、インターネット検索、Ｅメール本文、Ｃメール本文及び地図検索の機能は、グレーアウトして表示され、実行不可能であり、Ｅメール添付及びデコレーションメール挿入の機能のみが実行可能となっている。すなわち、アプリケーション制御部１７２は、アプリケーション起動用メニューＭ２として、選択された画像Ｆ１を用いることが可能なアプリケーションのみを実行可能な状態で表示部１１に表示させる。
【００５５】
画面Ｄ１３において、アプリケーション制御部１７２は、表示されている複数のアプリケーション起動用メニューＭ２のうちいずれかのアプリケーション起動用メニューが選択されると、選択されたアプリケーション起動用メニューが対応付けられるアプリケーションを起動部１７１により起動させて、画面Ｄ１２において選択された画像Ｆ１を添付ファイルとして、起動させたアプリケーションの画像挿入領域に挿入させる（画面Ｄ１４）。また、画像挿入領域とは、アプリケーション中の画像が挿入可能な領域（例えば、電子メールアプリケーション中の画像を添付可能な領域や、電子メールアプリケーション中のメール作成画面における画像を挿入可能な領域等）である。
【００５６】
また、アプリケーション制御部１７２は、起動させたアプリケーションが終了した場合、すなわち、起動したアプリケーションが実行された状態が終了した場合には、検出部１２により接触が検出される直前に表示されていた画像Ｆ１を含むウェブページをブラウザアプリケーションによって表示部１１に表示させる。
【００５７】
上述したように、アプリケーション制御部１７２は、選択されている文字又は画像により異なるアプリケーション起動用メニューＭ１又はＭ２を表示部１１に表示させる（図３の画面Ｄ３及び図４の画面Ｄ１３参照）。これにより、携帯電話機１は、選択されている文字又は画像に応じたアプリケーション起動用メニューを表示させるため、アプリケーションに対するユーザの利便性を更に向上させることができる。
【００５８】
また、図４の画面遷移例では、アプリケーション制御部１７２は、選択された画像Ｆ１のみを起動させたアプリケーションの画像挿入領域に挿入させたが、選択された画像Ｆ１と共に、選択された画像Ｆ１に対応して記憶される文字（例えば、ｊｐｅｇ方式の画像に含まれるテキストデータ）を起動させたアプリケーションの文字入力領域に入力させてもよい。この場合、選択された画像Ｆ１に対応する文字は、テキストデータとしてアプリケーションに入力されてもよく、添付ファイルとしてアプリケーションの画像挿入領域に挿入されてもよい。
【００５９】
次に、第１実施形態に係る携帯電話機１の処理について説明する。図５は、第１実施形態に係る携帯電話機１の処理について示すフローチャートである。
ステップＳ１において、制御部１７は、表示部１１に文字又は画像を表示させる。
【００６０】
ステップＳ２において、制御部１７は、表示部１１への接触を検出部１２により検出する。
ステップＳ３において、制御部１７は、表示部１１への接触が検出部１２により所定時間以上継続して検出されたか否かを判定する。接触が所定時間以上継続して検出された場合（ＹＥＳ）には、ステップＳ４へ進む。接触が所定時間以上継続して検出されなかった場合（ＮＯ）には、処理を終了する。
【００６１】
ステップＳ４において、制御部１７は、表示部１１への接触が検出部１２により所定時間以上継続して検出されたことにより、接触された箇所に対応する文字又は画像を選択する。
ステップＳ５において、制御部１７は、表示部１１への接触が解除されたことにより、文字又は画像の選択を確定する。
【００６２】
ステップＳ６において、アプリケーション制御部１７２は、選択された項目が文字であるか否かを判定する。選択された項目が文字である場合（ＹＥＳ）には、ステップＳ８へ進む。選択された項目が画像である場合（ＮＯ）には、ステップＳ７へ進む。
【００６３】
ステップＳ７において、アプリケーション制御部１７２は、アプリケーション起動用メニューＭ２として画像を用いることが不可能な機能をグレーアウトして表示させ、アプリケーション起動用メニューＭ２として画像を用いることが可能な機能のみを実行可能な状態で表示させる（図４の画面Ｄ１３）。
【００６４】
ステップＳ８において、アプリケーション制御部１７２は、アプリケーションが対応付けられるアプリケーション起動用メニューＭ１を表示部１１に表示させる（図３の画面Ｄ３）。
【００６５】
ステップＳ９において、アプリケーション制御部１７２は、アプリケーション起動用メニューが選択されると、選択されたアプリケーション起動用メニューが対応付けられるアプリケーションを起動部１７１により起動させて、選択された文字又は画像を起動させたアプリケーションに入力させる。
【００６６】
このように、第１実施形態に係る携帯電話機１は、表示部１１に表示されている文字又は画像が選択された場合に、アプリケーションが対応付けられるアプリケーション起動用メニューＭ１（Ｍ２）を表示させるため、表示部１１に表示されている文字又は画像を利用して簡易にアプリケーションを起動することができる。
なお、第１実施形態では、表示部１１に表示されている文字は、後述する手書き文字入力部により入力された文字だけではなく、表示部１１に表示される仮想的なキーボードを用いて入力された文字、ブラウザアプリケーション等において予め表示されている文字等の全てを含んでもよい。
【００６７】
＜第２実施形態＞
次に、本発明の電子機器に係る第２実施形態を説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００６８】
続いて、図６を参照しながら、第２実施形態に係る携帯電話機１の機能構成を説明する。図６は、第２実施形態に係る携帯電話機１の機能構成を示すブロック図である。
【００６９】
携帯電話機１は、上述した、タッチパネル１０（表示部１１及び検出部１２）と、マイク１３と、スピーカ１４とを有する。また、携帯電話機１は、通信部１５と、記憶部１６と、制御部１７とを有する。
【００７０】
第２実施形態に係る携帯電話機１は、表示部１１に表示されている文字やアイコン等を利用してアプリケーションを起動させる機能を有している。以下、当該機能を実行させるための構成を説明する。
【００７１】
図６に示すように、制御部１７は、アプリケーション制御部１７３と、手書き文字入力部１７４と、領域指定部１７５と、を有する。
アプリケーション制御部１７３は、表示部１１に文字が表示されている状態において、文字のうち少なくともいずれかの文字が表示されている領域に対する接触が検出部１２により検出されることにより文字が選択された後に、表示部１１に表示されているアイコン（例えば、後述するアイコン１９ａ〜１９ｆ）に対する接触が検出部１２により検出された場合、接触が検出されたアイコンに対応付けられているアプリケーションを起動させて、選択されている文字を入力させる。ここで、第２実施形態に係る文字とは、平仮名文字、片仮名文字、漢字だけでなく、数字、英字、記号も含む。また、文字とは、一の文字だけでなく、文字列も含む。
【００７２】
手書き文字入力部１７４は、表示部１１への接触により、手書き文字を表示部１１へ入力させる。具体的には、手書き文字入力部１７４は、タッチペン１８によって描かれた軌跡を検出部１２により検出する。手書き文字入力部１７４は、例えば、手書き文字認識用アプリケーションによって、検出された軌跡と手書き文字認識用データベースに記憶される文字とのパターンマッチングを行い、最も認識率の高い文字をテキストデータに変換する。ここで、手書き文字認識用データベースは、記憶部１６に記憶されており、手書き文字を認識するための各種情報を有している。また、手書き文字認識用アプリケーションは、記憶部１６に記憶されており、手書き文字を認識するためのアルゴリズムを有している。
【００７３】
領域指定部１７５は、表示部１１への接触により、表示部１１に手書き文字を入力させる領域を指定する。具体的には、領域指定部１７５は、タッチペン１８によって表示部１１に描かれた軌跡を検出部１２により検出する。領域指定部１７５は、検出された軌跡によって囲まれる領域を、手書き文字認識用アプリケーションにより手書き文字を入力可能な領域として指定する。なお、領域指定部１７５は、タッチペン１８によって表示部１１に描かれた軌跡が特定の領域を囲んでいない場合には、手書き文字を入力させる領域を指定しない。
【００７４】
また、記憶部１６には、一のアプリケーションと、このアプリケーションを起動するためのアイコンとが対応付けて記憶されている。なお、アプリケーションとしては、例えば、電子メールアプリケーション、メモ帳アプリケーション、テキスト編集用アプリケーション、ブラウザアプリケーション（例えば、検索するために文字入力が可能なブラウザアプリケーション）等が挙げられる。
【００７５】
図７は、第２実施形態に係る表示部１１に表示される画面遷移例を示す図である。
図７の画面Ｄ２１においては、ブラウザアプリケーションが起動しており、画像Ｆ１が表示部１１に表示されている。
【００７６】
図７の画面Ｄ２１において、領域指定部１７５は、タッチペン１８によるピクト領域Ｐへの接触が検出部１２により検出された場合（画面Ｄ２１）、手書き文字認識用アプリケーションを起動させて、タッチペン１８によって表示部１１に描かれた軌跡を検出部１２により検出する（画面Ｄ２２）。領域指定部１７５は、検出された軌跡によって囲まれる領域を、手書き文字認識用アプリケーションにより手書き文字を入力可能な領域Ｒ１として指定する。このようにタッチペン１８による表示部１１への接触が検出される基点がピクト領域Ｐである場合に、領域指定部１７５による手書き文字を入力可能な領域Ｒ１として指定してもよい。また、タッチペン１８による表示部１１への接触が検出される基点が表示部１１の縁である場合に、領域指定部１７５による手書き文字を入力可能な領域Ｒ１として指定してもよい。これにより、既に画面Ｄ２１に表示されているブラウザアプリケーションに対応する接触の検出との競合を回避することが可能である。
【００７７】
手書き文字入力部１７４は、領域指定部１７５により指定された領域Ｒ１内において、タッチペン１８によって描かれた軌跡を検出部１２により検出する。
【００７８】
なお、ピクト領域Ｐや表示部１１の縁以外への接触が検出された場合であっても、領域指定部１７５は、検出された軌跡によって囲まれる領域を、手書き文字認識用アプリケーションを起動させて、タッチペン１８によって表示部１１に描かれた軌跡を検出部１２により検出してもよい。また、タッチペン１８による表示部１１への接触が検出される基点がピクト領域Ｐや表示部１１の縁以外である場合であっても、領域指定部１７５による手書き文字を入力可能な領域Ｒ１として指定してもよい。
【００７９】
また、アプリケーション制御部１７３は、タッチペン１８によって表示部１１に描かれた軌跡が特定の範囲を囲んでいる、すなわち、描かれた軌跡の範囲が確定している場合には、ピクト領域Ｐにアプリケーションを起動させるためのアイコン１９ａ〜１９ｆを表示させる（画面Ｄ２３）。
【００８０】
画面Ｄ２３において、アプリケーション制御部１７３は、手書き文字入力部１７４により手書き文字「あいうえ」が入力されている領域Ｒ１に対する接触が検出部１２により検出されることにより、認識された文字「あいうえ」を選択する。
【００８１】
アプリケーション制御部１７３は、領域指定部１７５により指定された領域Ｒ１がタッチペン１８の操作によってアイコン１９ａ〜１９ｆのいずれかにドラッグされる（画面Ｄ２４）。そして、アプリケーション制御部１７３は、タッチペン１８によるドラッグの検出が解除されたことにより、アイコン１９ａ〜１９ｆのいずれかに対する接触の検出が検出部１２により確定されると（画面Ｄ２４）、アイコン１９ａ〜１９ｆのいずれかに対応付けて記憶されているアプリケーション（例えば、メモ帳アプリケーション）を起動させて、選択されている文字「あいうえ」を入力させる。
【００８２】
なお、アプリケーション制御部１７３によって「アプリケーションを起動させて、選択されている文字をアプリケーションに入力させる」とは、選択されている文字を起動させたアプリケーションに入力させて下書き保存してもよい。また、選択されている文字を起動させたアプリケーションに入力させた上で、当該アプリケーションの画面を表示させてもよい。
【００８３】
また、アプリケーション制御部１７３は、起動させたアプリケーションが終了した場合（起動したアプリケーションが実行された状態が終了した場合）には、検出部１２により文字「あいうえ」への接触が検出される直前に表示されていた文字、すなわち、画面Ｄ２３において表示されていた文字「あいうえ」及び画像Ｆ１を含むウェブページをブラウザアプリケーションによって表示部１１に表示させる。
【００８４】
このように第２実施形態によれば、携帯電話機１は、表示部１１に表示されているアイコン（アイコン１９ａ〜１９ｆ）を用いた直感的な操作によってアプリケーションを起動させて、選択されている文字をアプリケーションに入力させることができる。また、携帯電話機１は、起動させたアプリケーションには選択されている文字を入力させるため、アプリケーションを起動させる際におけるユーザの利便性を向上させることができる。
【００８５】
また、アプリケーション制御部１７３は、検出部１２によるアイコン１９ａ〜１９ｆに対する接触の検出が確定されると（すなわち、タッチペン１８によるドラッグの検出が解除されると）、アイコン１９ａ〜１９ｆに対応付けて記憶されるアプリケーションを起動させる。これにより、携帯電話機１は、直感的な操作によって容易にアプリケーションを起動することができる。
【００８６】
また、アプリケーション制御部１７３は、アプリケーションが終了した場合、すなわち、起動したアプリケーションが実行された状態が終了した場合に、検出部１２により文字への接触が検出される直前に表示されていた文字を表示部１１に表示させる。これにより、携帯電話機１は、アプリケーションが終了した後にも接触が検出される直前に表示されていた文字が表示されるため、ユーザの利便性を向上させることができる。
【００８７】
また、第２実施形態によれば、表示部１１に表示されている文字は、手書き文字入力部１７４により入力された文字である。これにより、携帯電話機１は、表示部１１への接触により入力された手書き文字を、起動させたアプリケーションに入力させるため、より直感的で簡易な操作によりアプリケーションを起動させることができる。また、携帯電話機１は、起動させたアプリケーションには手書き文字が入力されるため、アプリケーションを起動させる際におけるユーザの利便性を更に向上させることができる。
【００８８】
また、手書き文字入力部１７４は、領域指定部１７５により指定された領域Ｒ１内に手書き文字を入力させる。これにより、携帯電話機１は、指定された領域Ｒ１内の手書き文字をアプリケーションに入力させるため、より直感的な操作でアプリケーションに文字を入力させることができる。
なお、第２実施形態では、表示部１１に表示されている文字は、手書き文字入力部１７４により入力された文字だけではなく、表示部１１に表示される仮想的なキーボードを用いて入力された文字、ブラウザアプリケーション等において予め表示されている文字等の全てを含んでもよい。
【００８９】
なお、第２実施形態では、携帯電話機１は、アイコン１９ａ〜１９ｆをピクト領域Ｐに表示させたが、本発明はこれに限定されず、例えば、アイコン１９ａ〜１９ｆをピクト領域Ｐ以外の領域に表示させてもよい。
【００９０】
次に、第２実施形態において、表示部１１に表示されている文字を利用してアプリケーションを起動させる場合の処理について図８から図１２を参照しながら説明する。
【００９１】
図８は、タッチペン１８によるタッチパネル１０への接触を検出部１２により検出する処理を示すフローチャートである。
ステップＳ１１において、アプリケーション制御部１７３は、タッチペン１８によるタッチパネル１０への接触を検出部１２により検出する。
ステップＳ１２において、アプリケーション制御部１７３は、接触された位置がピクト領域Ｐを表示している位置であるか否かを判定する。ピクト領域Ｐを表示している位置である場合（ＹＥＳ）には、ステップＳ１３へ進む。ピクト領域Ｐを表示している位置でない場合（ＮＯ）には、ステップＳ１４へ進む。
【００９２】
ステップＳ１３において、アプリケーション制御部１７３は、タッチペン１８によるイベントをアプリケーションへ送信する。
ステップＳ１４において、アプリケーション制御部１７３は、タッチペン１８によるイベントを既に起動しているアプリケーションへ送信する。
【００９３】
図９から図１２は、アプリケーション制御部１７３による処理を示すフローチャートである。
ステップＳ２１において、アプリケーション制御部１７３は、ステップＳ１３において送信されたタッチペン１８によるイベントを受信する。
【００９４】
ステップＳ２２において、アプリケーション制御部１７３は、タッチペン１８によるイベントの内容を判定する。具体的には、アプリケーション制御部１７３は、タッチペン１８によるイベントが、タッチペン１８の接触が検出された場合、タッチペン１８の接触が検出されたままタッチペン１８がタッチパネル１０上で動かされた場合、又はタッチペン１８がタッチパネル１０から離れた場合のいずれかであるかを判定する。
【００９５】
そして、アプリケーション制御部１７３は、タッチペン１８の接触が検出された場合には、ステップＳ２３へ進み（図１０参照）、タッチペン１８の接触が検出されたままタッチペン１８がタッチパネル１０上で動かされた（スライドが検出された）場合には、ステップＳ３９（図１１参照）へ進み、タッチペン１８がタッチパネル１０から離れた場合には、ステップＳ４５（図１２参照）へ進む。
【００９６】
ステップＳ３３において、アプリケーション制御部１７３は、領域指定部１７５により領域が指定されていない状態であるか、すなわち、領域指定部１７５の状態が初期状態であるか否かを判定する。初期状態である場合（ＹＥＳ）には、ステップＳ３４へ進む。初期状態でない場合（ＮＯ）には、ステップＳ３５へ進む。
【００９７】
ステップＳ３４において、アプリケーション制御部１７３は、手書き文字認識用アプリケーションを起動させて、領域指定部１７５により領域を指定可能な状態に設定する。
ステップＳ３５において、アプリケーション制御部１７３は、タッチペン１８による接触が領域指定部１７５により指定された領域の枠であるか否かを判定する。領域指定部１７５により指定された領域の枠である場合（ＹＥＳ）には、ステップＳ３７へ進む。領域指定部１７５により指定された領域の枠でない場合（ＮＯ）であって、指定された領域内である場合（ステップＳ３６（ＹＥＳ））には、ステップＳ３８へ進む。
【００９８】
ステップＳ３７において、アプリケーション制御部１７３は、領域指定部１７５により指定された領域及び領域内の手書き文字が一体となってタッチペン１８のドラッグにより移動可能な状態に設定する。
ステップＳ３８において、アプリケーション制御部１７３は、領域指定部１７５により指定された領域を手書き文字入力部１７４による手書き文字の入力が可能な状態に設定する。
【００９９】
ステップＳ３９において、アプリケーション制御部１７３は、タッチペン１８によるイベントの内容を判定する。具体的には、アプリケーション制御部１７３は、領域指定部１７５により領域を指定可能な状態である場合には、ステップＳ４０へ進み、領域及び領域内の手書き文字がタッチペン１８のドラッグにより移動可能な状態である場合には、ステップＳ４３へ進み、指定された領域を手書き文字入力部１７４による手書き文字の入力が可能な状態である場合には、ステップＳ４４へ進む。
【０１００】
ステップＳ４０において、領域指定部１７５は、手書き文字認識用アプリケーションを起動させて、タッチペン１８によって表示部１１に描かれた軌跡を検出部１２により検出する。そして、領域指定部１７５は、検出された軌跡によって囲まれる領域を描画処理して、手書き文字を入力可能な領域として指定する。
【０１０１】
ステップＳ４１において、アプリケーション制御部１７３は、領域指定部１７５により指定された領域の範囲が確定されたか否かを判定する。領域の範囲が確定された場合（ＹＥＳ）には、ステップＳ４２へ進む。領域の範囲が確定されない場合（ＮＯ）には、処理を終了する。
【０１０２】
ステップＳ４２において、アプリケーション制御部１７３は、領域指定部１７５により指定された領域の範囲が確定された状態を維持する。
ステップＳ４３において、アプリケーション制御部１７３は、領域指定部１７５により指定された領域及び領域内の手書き文字がタッチペン１８のドラッグにより移動する状態を表す画像を、手書き文字認識用アプリケーションにより描画処理させる。
【０１０３】
ステップＳ４４において、アプリケーション制御部１７３は、手書き文字入力部１７４により入力された手書き文字の画像を手書き文字認識用アプリケーションにより描画処理させる。
【０１０４】
ステップＳ４５において、アプリケーション制御部１７３は、タッチペン１８によるイベントの内容を判定する。具体的には、アプリケーション制御部１７３は、領域指定部１７５により領域を指定可能な状態である場合には、ステップＳ４６へ進み、領域及び領域内の手書き文字がタッチペン１８のドラッグにより移動可能な状態である場合には、ステップＳ４９へ進み、指定された領域を手書き文字入力部１７４による手書き文字の入力が可能な状態である場合には、ステップＳ５４へ進む。
【０１０５】
ステップＳ４６において、アプリケーション制御部１７３は、領域指定部１７５により指定された領域の範囲が確定されたか否かを判定する。領域の範囲が確定された場合（ＹＥＳ）には、ステップＳ４７へ進む。領域の範囲が確定されない場合（ＮＯ）には、ステップＳ４８へ進む。
【０１０６】
ステップＳ４７において、アプリケーション制御部１７３は、領域指定部１７５により指定された領域を手書き文字入力部１７４による手書き文字の入力が可能な状態に設定する。
ステップＳ４８において、アプリケーション制御部１７３は、領域指定部１７５により領域が指定されていない状態、すなわち、領域指定部１７５の状態を初期状態に設定する。
【０１０７】
ステップＳ４９において、アプリケーション制御部１７３は、領域指定部１７５により指定された領域がタッチペン１８の操作によってアイコン１９ａ〜１９ｆのいずれかにドラッグされ、アイコン１９ａ〜１９ｆがアプリケーションと対応付けられているか否かを判定する。アイコン１９ａ〜１９ｆがアプリケーションと対応付けられている場合（ＹＥＳ）には、ステップＳ５０へ進む。アイコン１９ａ〜１９ｆがアプリケーションと対応付けられていない場合（ＮＯ）には、ステップＳ５３へ進む。
【０１０８】
ステップＳ５０において、手書き文字入力部１７４は、手書き文字認識用アプリケーションによって、検出された軌跡と手書き文字認識用データベースに記憶される文字とのパターンマッチングを行い、最も認識率の高い文字をテキストデータに変換する。
【０１０９】
ステップＳ５１において、手書き文字入力部１７４は、変換後のテキストデータをアイコン１９ａ〜１９ｆのいずれかと対応付けられているアプリケーションに送信する。
ステップＳ５２において、アプリケーション制御部１７３は、領域指定部１７５により領域が指定されていない状態、すなわち、領域指定部１７５の状態を初期状態に設定する。
【０１１０】
ステップＳ５３において、アプリケーション制御部１７３は、領域指定部１７５により指定された領域を手書き文字入力部１７４による手書き文字の入力が可能な状態に設定する。
ステップＳ５４において、手書き文字入力部１７４は、タッチペン１８により描かれた軌道の入力を確定する。
【０１１１】
このように第２実施形態によれば、携帯電話機１は、表示部１１に表示されているアイコン（アイコン１９ａ〜１９ｆ）を用いた直感的な操作によってアプリケーションを起動させて、選択されている文字をアプリケーションに入力させることができる。
【０１１２】
＜第３実施形態＞
次に、本発明の電子機器に係る第３実施形態について説明する。第３実施形態については、主として、第１及び第２実施形態とは異なる点を説明し、第１及び第２実施形態と同様の構成について同一符号を付し、説明を省略する。第３実施形態について特に説明しない点については、第１及び第２実施形態についての説明が適宜適用される。
【０１１３】
第３実施形態に係る携帯電話機１は、表示部１１に表示されている画像（例えば、アイコン）が表示されている領域に対する接触が検出された後に、表示部１１に表示されている文字の選択を行う点が第２実施形態とは異なる。
【０１１４】
すなわち、アプリケーション制御部１７３は、表示部１１に表示されている画像（例えば、アイコン）が表示されている領域に対する接触が検出部１２により検出されて、表示部１１に表示されている文字のうち少なくともいずれかの文字に対する接触が検出部１２により検出されることにより文字が選択された場合、接触が検出されたアイコンが対応付けられたアプリケーションを起動させて、選択されている文字を入力させる。
【０１１５】
図１３及び図１４は、第３実施形態に係る表示部１１に表示される画面例を示す図である。
図１３では、ブラウザアプリケーションが起動しており、文字「Ａｂｃｄｅｆｇ」が表示部１１に表示されると共に、アプリケーションと対応付けられているアプリケーション起動用のアイコン２０ａ〜２０ｄがアプリケーション制御部１７３により表示部１１の下部に表示されている。
【０１１６】
そして、図１３に示す状態から、例えば、ユーザの親指２５ａによるアイコン２０ａへの接触が検出部１２により検出されて、表示部１１に表示されている文字「Ａｂｃｄｅｆｇ」に対するユーザの人差し指２５ｂによる接触が検出部１２により検出されることにより文字が選択される（図１４参照）。
【０１１７】
そして、アプリケーション制御部１７３は、親指２５ａによる接触がアイコン２０ａへの接触が解除されることにより、アイコン２０ａへの接触の検出が確定されると、アイコン２０ａが対応付けられるアプリケーション（例えば、メモ帳アプリケーション）を起動させて、選択されている文字「Ａｂｃｄｅｆｇ」を起動させたアプリケーションに入力させる。
【０１１８】
これにより、第３実施携帯に係る携帯電話機１は、第２実施形態と同様に、表示部１１に表示されている画像（アイコン）を用いた直感的な操作によってアプリケーションを起動させて、選択されている文字をアプリケーションに入力させることができる。特に、起動させたいアプリケーションを親指２５ａにより指定しながら、入力させたい文字を人差し指２５ｂで選択する動作となるため、人差し指２５ｂから親指２５ａへと動作が流れるように行われ、携帯電話機１は、直感的な操作によってアプリケーションを起動させて、選択されている文字をアプリケーションに入力させることができる。
【０１１９】
また、携帯電話機１は、アイコン２０ａへの接触の検出が確定されると、アイコン２０ａに対応付けて記憶されているアプリケーションを起動させるため、文字を選択する操作による誤操作を抑制することができる。
【０１２０】
図１５は、第３実施形態に係るアプリケーション制御部１７３による処理を示すフローチャートである。
ステップＳ６１において、アプリケーション制御部１７３は、タッチパネル１０への接触を検出部１２により検出する。
【０１２１】
ステップＳ６２において、アプリケーション制御部１７３は、接触された位置にアプリケーションを起動するためのアイコン２０ａ〜２０ｄのいずれかが表示されているか否かを判定する。アイコン２０ａ〜２０ｄのいずれかが表示されている場合（ＹＥＳ）には、ステップＳ６３へ進む。アイコン２０ａ〜２０ｄが表示されていない場合（ＮＯ）には、処理を終了する。
【０１２２】
ステップＳ６３において、アプリケーション制御部１７３は、ステップＳ６１において接触が検出された位置に表示されているアイコン２０ａ〜２０ｄのいずれかが対応付けられるアプリケーションを記憶部１６に記憶する。
【０１２３】
ステップＳ６４において、アプリケーション制御部１７３は、タッチパネル１０への接触が検出部１２により検出されている状態において、更にタッチパネル１０への別の接触が検出部１２により検出されたか否かを判定する。別の接触が検出部１２により検出された場合（ＹＥＳ）には、ステップＳ６５へ進む。別の接触が検出部１２により検出されない場合（ＮＯ）には、再度ステップＳ６４の処理を繰り返す。
【０１２４】
ステップＳ６５において、アプリケーション制御部１７３は、ステップＳ６４において接触が検出された位置を記憶部１６に記憶する。
【０１２５】
ステップＳ６６において、アプリケーション制御部１７３は、接触が維持された状態で接触位置が移動したことが検出部１２により検出されたか、すなわち、接触が維持された状態からスライドが検出部１２により検出されたか否かを判定する。スライドが検出部１２により検出された場合（ＹＥＳ）には、ステップＳ６７へ進む。スライドが検出部１２により検出されない場合（ＮＯ）には、再度ステップＳ６６の処理を繰り返す。
【０１２６】
ステップＳ６７において、アプリケーション制御部１７３は、スライドによって選択された位置に表示されている情報、すなわち、スライドによって選択された位置に表示されている文字を記憶部１６に記憶する。
【０１２７】
ステップＳ６８において、アプリケーション制御部１７３は、アイコン２０ａ〜２０ｄのいずれかに対する接触が解除されたか否かを判定する。アイコン２０ａ〜２０ｄのいずれかに対する接触が解除された場合（ＹＥＳ）には、ステップＳ６９へ進む。アイコン２０ａ〜２０ｄのいずれかに対する接触が解除されない場合（ＮＯ）には、ステップＳ６６へ戻る。
【０１２８】
ステップＳ６９において、アプリケーション制御部１７３は、アイコン２０ａ〜２０ｄのいずれかに対する接触が解除されることにより、アイコン２０ａ〜２０ｄのいずれかに対する接触が確定されると、アイコン２０ａ〜２０ｄのいずれかに対応付けて記憶されているアプリケーションを起動させる。
【０１２９】
ステップＳ７０において、アプリケーション制御部１７３は、ステップＳ６７において記憶した文字を起動させたアプリケーションに入力させる。
【０１３０】
このように第３実施形態によれば、携帯電話機１は、表示部１１に表示されている画像を用いた直感的な操作によってアプリケーションを起動させて、選択されている文字をアプリケーションに入力させることができる。
【０１３１】
また、上述した実施形態では、手書き文字入力部１７４は、領域指定部１７５により領域を指定した後に、手書き文字入力部１７４によりタッチペン１８によって描かれた軌跡（文字又は画像）を検出したが、手書き文字入力部１７４によりタッチペン１８によって描かれた軌跡（文字又は画像）を検出した後に、領域指定部１７５により領域を指定してもよい。
【０１３２】
また、上述した実施形態では、ブラウザアプリケーションが起動しており、画像Ｆ１１が表示部１１に表示されている例について説明したが、他のアプリケーションが起動している状態からでも本発明を適用可能であり、また待ち受け画面が表示されている状態からでも本発明を適用可能である。
また、上述した第１、第２及び第３実施形態を適宜組み合わせた実施形態も可能である。
【０１３３】
以上、本発明の実施形態について説明したが、本発明は上述した実施形態に制限されるものではなく、適宜変更が可能である。また、上述した実施形態において、電子機器としての携帯電話機１について説明したが、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１３４】
１  携帯電話機（電子機器）
１１  表示部
１２  検出部
１７  制御部
１７１  起動部
１７２  アプリケーション制御部
【図１】
2012008425.tif 000003
【図２】
2012008425.tif 000004
【図３】
2012008425.tif 000005
【図４】
2012008425.tif 000006
【図５】
2012008425.tif 000007
【図６】
2012008425.tif 000008
【図７】
2012008425.tif 000009
【図８】
2012008425.tif 000010
【図９】
2012008425.tif 000011
【図１０】
2012008425.tif 000012
【図１１】
2012008425.tif 000013
【図１２】
2012008425.tif 000014
【図１３】
2012008425.tif 000015
【図１４】
2012008425.tif 000016
【図１５】
2012008425.tif 000017
【国際調査報告】
2012008425.tif 000018
2012008425.tif 000019